(57)【要約】【課題】火災発生時等にはバランスウエイトでドアー本体を閉じ位置まで移動できるし、通常開閉時にはバランスウエイトでドアー本体を移動する力が大きくならない防火戸とする。【解決手段】出入口２を開放する開き位置と閉鎖する閉じ位置に亘って開閉移動自在なドアー本体１と、このドアー本体１を火災発生信号等の閉信号で閉じ位置まで移動する閉じ移動装置３０を備え、この閉じ移動装置３０は、バランスウエイト３２で作動位置まで移動する移動体３１と、この移動体３１を待機位置で保持する保持機構３３を有し、通常開閉移動時には移動体３１を待機位置で保持してバランスウエイト３２に関係なくドアー本体１を開閉移動でき、火災発生信号等の閉信号によって保持を解除して移動体３１がバランスウエイト３２で作動位置まで移動してドアー本体１を閉じ位置に移動するようにする。【選択図】図１
2005336744.tif 000002
【特許請求の範囲】
【請求項１】
出入口２を開放する開き位置と出入口２を閉鎖する閉じ位置に亘って開閉移動自在なドアー本体１と、
このドアー本体１を通常時に開閉移動する駆動装置１０と、
前記ドアー本体１を閉じ位置まで移動する閉じ移動装置３０を備え、
前記閉じ移動装置３０は、作動位置と待機位置に亘って移動自在な移動体３１と、この移動体３１を作動位置に向けて移動するバランスウエイト３２と、前記移動体３１をバランスウエイト３２に抗して待機位置に保持、保持解除する保持機構３３を有し、
前記移動体３１が待機位置の時にはドアー本体１が移動体３１と関係なしに開閉移動し、かつ移動体３１が作動位置に移動するとドアー本体１を閉じ位置に移動し、
前記保持機構３３は通常時には移動体３１を待機位置に保持し、かつ閉信号によって保持を解除することを特徴とする防火戸。
【請求項２】
保持機構３３は、閉信号によって保持を解除した後に再び移動体３１が待機位置に移動すると保持し、
移動体３１が作動位置の状態で閉じ位置のドアー本体１が開き位置まで移動することで、作動位置の移動体３１がドアー本体１で待機位置まで移動するようにした請求項１記載の防火戸。
【発明の詳細な説明】
【技術分野】
【０００１】
本発明は、冷凍倉庫、冷蔵倉庫、定温倉庫、低温空調室等に用いる防火戸に関する。
【背景技術】
【０００２】
特許文献１に防火戸が開示されている。
この防火戸は、出入口を開放する開き位置と出入口を閉鎖する閉じ位置に亘って移動するドアー本体と、モータによって回転動される無端状のチェーンと、このチェーンとドアー本体を連結、分離する連結機構と、前記ドアー本体を閉じ位置に向けて付勢するバランスウエイトを備えている。
そして、前述の連結機構によってチェーンとドアー本体を連結した状態でモータによってチェーンを回転動することでドアー本体が開閉移動する。
また、前述の連結機構によってチェーンとドアー本体を分離することで、手でドアー本体を開閉移動できると共に、バランスウエイトによってドアー本体を閉じ位置に向けて付勢しているので、軽い力で閉じ位置に移動できる。
【０００３】
【特許文献１】特開平１１−２４７５４４号公報
【発明の開示】
【発明が解決しようとする課題】
【０００４】
防火戸としては、火災発生時に開いているドアー本体を自動的に閉じ位置まで移動して出入口を閉鎖することが望まれている。
前述の防火戸はドアー本体を閉じ位置に向けて付勢するバランスウエイトを備えているから、そのバランスウエイトを利用して火災発生時にドアー本体を閉じ位置まで移動することが考えられる。
例えば、火災発生時に開いているドアー本体をバランスウエイトで閉じ位置まで移動して出入口を閉鎖することで、火災時に出入口を自動的に閉鎖することが考えられる。
【０００５】
しかし、前述した従来の防火戸は、モータによってチェーンを回転動してドアー本体を開閉移動する時、つまり通常開閉移動時にドアー本体とともにバランスウエイトが移動するから、ドアー本体を閉じ位置から開き位置に向けて移動する際のドアー本体の移動力がバランスウエイトの重量相当だけ大きくなる。すなわち、通常開閉移動時にドアー本体を開き移動する力がバランスウエイトの重量相当だけ大きくなってしまう。
このために、モータの電力使用量が多くなるし、バランスウエイトとドアー本体を連結するワイヤーが切断することがある。
【０００６】
本発明の目的は、火災発生時等にはバランスウエイトによってドアー本体を閉じ位置まで移動できるし、通常開閉移動時にドアー本体を移動する力がバランスウエイトによって大きくなることがないようにした防火戸を提供することである。
【課題を解決するための手段】
【０００７】
第１の発明は、出入口２を開放する開き位置と出入口２を閉鎖する閉じ位置に亘って開閉移動自在なドアー本体１と、
このドアー本体１を通常時に開閉移動する駆動装置１０と、
前記ドアー本体１を閉じ位置まで移動する閉じ移動装置３０を備え、
前記閉じ移動装置３０は、作動位置と待機位置に亘って移動自在な移動体３１と、この移動体３１を作動位置に向けて移動するバランスウエイト３２と、前記移動体３１をバランスウエイト３２に抗して待機位置に保持、保持解除する保持機構３３を有し、
前記移動体３１が待機位置の時にはドアー本体１が移動体３１と関係なしに開閉移動し、かつ移動体３１が作動位置に移動するとドアー本体１を閉じ位置に移動し、
前記保持機構３３は通常時には移動体３１を待機位置に保持し、かつ閉信号によって保持を解除することを特徴とする防火戸である。
【０００８】
第２の発明は、第１の発明において、保持機構３３は、閉信号によって保持を解除した後に再び移動体３１が待機位置に移動すると保持し、
移動体３１が作動位置の状態で閉じ位置のドアー本体１が開き位置まで移動することで、作動位置の移動体３１がドアー本体１で待機位置まで移動するようにした防火戸である。
【発明の効果】
【０００９】
請求項１に係る発明によれば、閉信号によって移動体３１の保持が解除され、その移動体３１はバランスウエイト３２で作動位置まで移動する。
この移動体３１の移動によって開き位置のドアー本体１を閉じ位置まで移動できる。
また、閉信号が入力されない時には移動体３１が待機位置に保持され、ドアー本体１は移動体３１とは関係なく開閉移動する。
よって、火災発生時等にはバランスウエイト３２によってドアー本体１を閉じ位置まで移動できるし、通常開閉移動時にドアー本体１を移動する力がバランスウエイト３２によって大きくなることがない。
【００１０】
請求項２に係る発明によれば、バランスウエイト３２によって閉じ位置まで移動したドアー本体１を、再び開き位置まで移動することで、作動位置の移動体３１を待機位置まで移動して保持することができる。
【発明を実施するための最良の形態】
【００１１】
図１に示すように、ドアー本体１は出入口２を開放する開き位置（図１に実線で示す）と、出入口２を閉鎖する閉じ位置（図１に仮想線で示す）とに亘って開閉移動自在に取付けられる。
例えば、出入口２を形成した建物壁体３にレール４を取付け、ドアー本体１に取付けた走行ローラ５を前記レール４に接してドアー本体１を開き位置と閉じ位置とに亘って開閉移動自在に取付けられる。
この実施の形態では１枚のドアー本体１で出入口２を開閉するようにしたが、２枚のドアー本体１で出入口２を開閉しても良い。
【００１２】
前記ドアー本体１は駆動装置１０で通常時に開閉移動される。
例えば、駆動スプロケット１１と従動スプロケット１２に亘って無端状の駆動チェーン１３を巻掛け、その駆動スプロケット１１をモータ１４で回転動すると共に、駆動チェーン１３をドアー本体１に連結し、前記モータ１４で駆動チェーン１３を回転動することでドアー本体１が開き位置と閉じ位置に亘って開閉移動するようにしてある。
なお２枚のドアー本体１を備えている場合には一方のドアー本体１を駆動チェーン１３の一方側に連結し、他方のドアー本体１を駆動チェーン１３の他方側に連結して２枚のドアー本体１が接近する方向に移動すると共に、離隔する方向に移動するようにすることができる。
【００１３】
前記ドアー本体１と駆動チェーン１３は連結機構２０で連結、分離される。
例えば、ドアー本体１に取付けたハンドル２１で杆体２２を上下動できるようにし、図２に示すようにこの杆体２２でロック片２３が上下動するようにする。
前記駆動チェーン１３の途中にロック受部材２４を設け、このロック受部材２４にロック片２３が係合、離脱するようにする。
【００１４】
前記ドアー本体１を火災発生信号等の閉信号で閉じ位置まで移動する閉じ移動装置３０を備えている。
この閉じ移動装置３０は移動体３１とバランスウエイト３２と保持機構３３を有する。
前記移動体３１は作動位置と待機位置に亘ってドアー本体１の開閉方向に移動する。例えば、ガイドレール３４に沿って作動位置と待機位置に亘って移動する。
前記バランスウエイト３２は移動体３１を作動位置に向けて移動する。例えば、ウエイトワイヤ３５の一端部を移動体３１に連結し、ウエイトワイヤ３５をウエイトガイドローラ３６、ウエイトローラ３７を経て垂れ下げ、その他端部にバランスウエイト３２を連結し、そのバランスウエイト３２の重量でウエイトワイヤ３５が引っ張られることで移動体３１が作動位置まで移動するようにする。
前記保持機構３３は移動体３１を、バランスウエイト３２による移動力に抗して待機位置に保持し、かつ閉信号によってその保持を解除する。
【００１５】
そして、前記移動体３１が待機位置の時には、ドアー本体１は移動体３１とは関係なしに閉じ位置と開き位置に亘って開閉移動できる。
前記移動体３１が待機位置から作動位置に移動する時には、ドアー本体１と干渉等して開き位置のドアー本体１を閉じ位置まで移動する。
例えば、ドアー本体１にストッパー３８を取付け、好ましくはショックアブソーバー３９を介してストッパー３８を取付け、移動体３１が待機位置から作動位置に向けて移動する時にストッパー３８に当接し、そのストッパー３８（ショックアブソーバー３９）を介してドアー本体１を閉じ位置まで移動し、移動体３１が待機位置の時にはストッパー３８が移動体３１に当接することがないように構成する。
【００１６】
このようであるから、通常開閉移動時には移動体３１を保持機構３３で待機位置に保持することで、ドアー本体１を移動体３１とは関係なしに開閉移動できるから、バランスウエイト３２の重量によってドアー本体１を移動する力が大きくなることがない。
また、火災発生信号等の閉信号によって保持機構３３が移動体３１の保持を解除すると、移動体３１がバランスウエイト３２で作動位置に向けて移動し、その移動体３１でドアー本体１が閉じ位置まで移動されるから、出入口２を自動的に閉鎖することができる。
【００１７】
また、移動体３１はバランスウエイト３２で移動されてストッパ３８に衝突するが、その衝撃力はショックアブソーバー３９で吸収され、ドアー本体１に衝撃力が作用することが防止される。
【００１８】
この実施の形態では、前記移動体３１が作動位置の状態で、閉じ位置のドアー本体１が開き位置に移動すると移動体３１はドアー本体１によって待機位置まで移動するようにしてある。
また、保持機構３３は閉信号で保持を解除した後に再び移動体１が待機位置に移動すると、その移動体２１を待機位置で保持するようにしてある。
【００１９】
これによって、火災発生時等に自動的に閉じ位置まで移動したドアー本体１を手動操作などで全開位置まで移動することで、移動体３１を待機位置まで移動して保持することができる。
【００２０】
この実施の形態では、ドアー本体１の上部に一対のローラー用ブラケット１ａが固着され、この各ローラー用ブラケット１ａに前述の走行ローラー５がそれぞれ取付けてあると共に、一方のローラー用ブラケット１ａにショックアブソーバー３９を介してストッパー３８が取付けてある。
また、図１に示すように建物壁体３の出入口２よりも上方位置に取り付け用の架台６が取付けてある。この取り付け用の架台６に、前述のレール４、駆動装置１０の駆動スプロケット１１、従動スプロケット１２、前述の閉じ移動装置３０のガイドレール３４、ウエイトガイドローラ３６，ウエイトローラ３７等が取付けてある。
【００２１】
次に、前述の閉じ移動装置３０の具体形状を図３、図４に基づいて説明する。
移動体３１にランナーローラ４０が取付けてあり、このランナーローラ４０がガイドレール３４に沿ってガイドされることで、移動体３１が移動自在に支承される。
この移動体３１にワイヤ固定金具４１が固着してあり、このワイヤ固定金具４１に前述のウエイトワイヤ３５が連結してある。移動体３１の一端部３１ａがストッパー３８と対向している。
前記保持機構３３は移動体３１の穴４２に嵌合、抜け出しするロックピン４３と、このロックピン４３を作動するソレノイド４４と、このソレノイド４４の電源回路に設けたスイッチ４５を備えている。前記ソレノイド４４がガイドレール３４に取付けてあり、スイッチ４５がブラケット４６で架台６に取付けてある。
前記ソレノイド４４には操作盤（コントローラ）４７で通電制御される。この操作盤４７で前述のモータ１４が駆動制御される。
【００２２】
前記ソレノイド４４がＯＦＦ（つまり、電流が供給されない時）の時にはロックピン４３は図示しないスプリング等でロック位置に保持されて移動体３１の穴４２に嵌合して移動体３１を待機位置に保持している。
前記スイッチ４５は常時切で、閉信号（例えば、前述の操作盤４７に入力される火災報知信号）で接となる。このスイッチ４５が接となるとソレノイド４４に通電（つまり、ＯＮ）されてロックピン４３をロック解除位置に移動して移動体３１の穴４２から抜き出しすることで保持を解除する。
このスイッチ４５は、そのスイッチ部４５ａを押すことで切となり、その後は閉信号が入力されるまで切の状態を維持する。
【００２３】
前記ブラケット４６は上下一対の横向片４６ａを備え、この一対の横向片４６ａに穴４６ｂが形成してあると共に、前記移動体３１の他端部３１ｂが上下一対の横向片４６ａ間を挿通してスイッチ４５のスイッチ部４５ａに当接し、その穴４６ｂと穴４２にロックピン４３が嵌合するようにしてある。
前記ロックピン４３はソレノイド４４の可動部４４ａにピン４８で、移動体３１の移動方向に揺動自在に連結してある。
【００２４】
このようであるから、バランスウエイト３２によって移動される移動体３１に形成した穴４２の長手方向他端縁部がロックピン４３に当接し、そのロックピン４３がブラケット４６の穴４６ｂの長手方向一端縁部に当接して移動体３１を保持するので、バランスウエイト３２が大重量で移動体３１を大きな力で移動する場合でも、その移動体３１を強固に待機位置に保持できる。
すなわち、ロックピン４３を移動体３１の穴４２に嵌合しただけであれば、そのロックピン４３を移動するソレノイド４４によって移動体３１を移動しないように保持することになり、大きな力が作用した場合には保持できないことがあるが、前述のようにブラケット４６でロックピン４３を支持すれば大きな力が作用した場合でもしっかりと保持できる。
【００２５】
次に、ドアー本体１の通常開閉動作を説明する。
前述のようにスイッチ４５が切で、ソレノイド４４がＯＦＦであるから、ロックピン４３がスプリング等でロック位置で、移動体３１が前述のように待機位置に保持されている。
図示しない押釦スイッチやプルスイッチをＯＮすることでモータ１４が駆動してドアー本体１が開閉移動する。
【００２６】
次に、ドアー本体１をバランスウエイト３２で閉じ移動する動作を説明する。
図１に示す操作盤４７に火災報知信号が入力されると、スイッチ４５が接となり、ソレノイド４４に通電されてロックピン４３がロック解除位置に移動して穴４２，４６ｂから抜け出す。これと同時にモータ１４のブレーキが解除される。
【００２７】
これによって、移動体３１はバランスウエイト３２によって矢印ａに移動し、その一端部３１ａがドアー本体１の上部に取付けたストッパー３８に当接して閉じ位置まで移動する。
この動作の時にバランスウエイト３２は下降する。
【００２８】
前述のようにしてバランスウエイト３２によって閉じ位置まで移動したドアー本体１を、手動で開き位置に向けて移動すると、ストッパー３８によって移動体３１が待機位置に向けて移動し、待機位置となると移動体３１の他端部３１ｂがスイッチ４５のスイッチ部４５ａを押して切とするので、ソレノイド４４がＯＦＦし、ロックピン４３がロック位置に移動して移動体３１の穴４２とブラケット４６の穴４６ｂに嵌合して移動体３１を待機位置に保持する。
【図面の簡単な説明】
【００２９】
【図１】本発明の実施の形態を示す防火戸の全体正面図である。
【図２】縦断面図である。
【図３】図１の閉じ移動装置部分の拡大正面図である。
【図４】閉じ移動装置部分の分解斜視図である。
【符号の説明】
【００３０】
１…ドアー本体、２…出入口、１０…駆動装置、２０…連結機構、３０…閉じ移動装置、３１…移動体、３２…バランスウエイト、３３…保持機構、４２…ロック用の穴、４３…ロックピン、４４…ソレノイド、４５…スイッチ。
【図１】
2005336744.tif 000003
【図２】
2005336744.tif 000004
【図３】
2005336744.tif 000005
【図４】
2005336744.tif 000006